(57)【要約】【課題】  設置スペースを自由に設定でき、商品の陳列に加えてストックでき、商品の内容や広告などを表示できるユニット式陳列・ストックケースを提供すること。【解決手段】  陳列ケースユニット２０の引き出しケース２１に商品を並べて収納し、引き出しケース箱体３３に最前部の商品を取出し可能とする。  ストックケースユニット４０のストックケース箱体４１に商品をストック可能とし、前面開口部のケース蓋体４４に商品などの表示部４７を備える。  これら陳列ケースユニット２０とストックケースユニット４０とを左右に並べて配置し、上下には最前部の商品を取出し可能に上方のケースユニット２０，４０をずらして重ねて配置する。  これにより、希望のスペースに合わせてユニット式陳列・ストックケースを設置でき、最前部の商品を干渉せずに簡単に取り出すことができ、しかも商品をストックでき、前面の表示部４７を利用して商品の内容や広告などができるようになる。【選択図】  図１
2005334326.tif 000002
【特許請求の範囲】
【請求項１】
商品を並べて１列ないし複数列収納するとともに、引き出し可能な引き出しケースと、この引き出しケースが収納され前面が開口されるとともに、少なくとも前記引き出しケースの最前部の商品を取出し可能な引き出しケース箱体とからなる陳列ケースユニットと、
前記商品を１ないし複数個ストック可能な前面が開口するストックケース箱体と、このストックケース箱体の前面開口部に設けられ商品などの表示部を備える開閉可能なケース蓋体とからなるストックケースユニットと、
これら陳列ケースユニットとストックケースユニットとをそれぞれ１個ないし複数個用い、左右には同一前面位置に並べて配置し、上下には前記陳列ケースユニットの最前部の商品を取出し可能に上方のケースユニットをずらして重ねて配置したことを特徴とするユニット式陳列・ストックケース。
【請求項２】
前記陳列ケースユニットと前記ストックケースユニットとを前面部の高さおよび／または幅を変え、一方のケースユニットの整数個に対して他方のケースユニットを整数個組み合せて全体の外形が矩形となる大きさで構成したことを特徴とする請求項１記載のユニット式陳列・ストックケース。
【請求項３】
前記陳列ケースユニットの引き出しケースには、商品列を仕切る仕切り板を設けるとともに、収納された商品を最前部に押出し可能な押し出し機構を設けたことを特徴とする請求項１または２記載のユニット式陳列・ストックケース。
【請求項４】
前記ストックケースユニットのケース蓋体を、前記ストックケース箱体の天板部内側に収納可能に設けたことを特徴とする請求項１〜３のいずれかに記載のユニット式陳列・ストックケース。
【発明の詳細な説明】
【技術分野】
【０００１】
この発明はユニット式陳列・ストックケースに関し、陳列用の陳列ケースユニットと、ストック用のストックケースユニットを組み合せて希望のスペースに商品を陳列でき、商品の内容や広告などを表示できると同時に内部空間にストックすることができるようにしたもので、タバコやお菓子などのパッケージされた商品の陳列・ストックに好適なものである。
【背景技術】
【０００２】
従来から商品を販売する場合に、所定数ずつ包装された商品を1つずつの商品にし、陳列棚や陳列ケースに入れ、店員や客が取り出して販売するものがあり、例えばタバコやお菓子などがある。
【０００３】
このようなタバコなどの陳列ケースとしては、例えば特許文献1に開示された商品ディスプレイ装置があり、図８に示すように、透明体で構成され前面開口部に左右に開く扉１を備えたケース２に、前方が低く後方が高い状態で傾斜した棚板３を複数段設置し、これらの棚板３上に商品を並べるようにしたものがある。
【０００４】
また、特許文献２に開示された煙草陳列ケースでは、図９に示すように、透明体で構成されたケース箱体４の前面に透明体または半透明体のシャッター５を設けて開閉可能とし、内部に多列多段の収納棚６を設けてタバコを収納するようにしている。
【特許文献１】特開平１１−１５１１４３号公報
【特許文献２】特開平８−２７５８５０号公報
【発明の開示】
【発明が解決しようとする課題】
【０００５】
ところが、このような商品ディスプレイ装置や煙草陳列ケースでは、これらの装置やケースの大きさに合わせたスペースを確保する必要があるとともに、商品であるタバコの種類を調整しようとすると、装置やケース単位にしなければならず簡単に対応することができないという問題ある。
【０００６】
また、これらの装置やケースでは、陳列するための商品を収納できるものの、商品をストックしようとすると、別にスペースを確保しなければならないという問題がある。
【０００７】
さらに、コンビニエンスストアなどでは、これらの装置やケースをレジカウンタの中に設置し、客が指定する銘柄の商品を取出して販売する場合もあり、商品が比較的小さく、レジカウンタごしに銘柄を確認し難いという問題もある。
【０００８】
この発明は、上記従来技術が有する課題に鑑みてなされたもので、設置スペースを自由に設定することができ、商品の陳列に加えてストックすることができるとともに、商品の内容や広告などを表示することができるユニット式陳列・ストックケースを提供しようとするものである。
【課題を解決するための手段】
【０００９】
上記従来技術の有する課題を解決するためこの発明の請求項１記載のユニット式陳列・ストックケースは、商品を並べて１列ないし複数列収納するとともに、引き出し可能な引き出しケースと、この引き出しケースが収納され前面が開口されるとともに、少なくとも前記引き出しケースの最前部の商品を取出し可能な引き出しケース箱体とからなる陳列ケースユニットと、前記商品を１ないし複数個ストック可能な前面が開口するストックケース箱体と、このストックケース箱体の前面開口部に設けられ商品などの表示部を備える開閉可能なケース蓋体とからなるストックケースユニットと、これら陳列ケースユニットとストックケースユニットとをそれぞれ１個ないし複数個用い、左右には同一前面位置に並べて配置し、上下には前記陳列ケースユニットの最前部の商品を取出し可能に上方のケースユニットをずらして重ねて配置したことを特徴とするものである。
【００１０】
このユニット式陳列・ストックケースによれば、陳列ケースユニットとストックケースユニットとを組み合せて構成し、陳列ケースユニットの引き出しケースに商品を１列ないし複数列並べて収納するとともに、引き出しケース箱体に最前部の商品を取出し可能とし、ストックケースユニットのストックケース箱体に商品を１ないし複数個ストック可能とするとともに、前面開口部に商品などの表示部を備えるようにしており、これら陳列ケースユニットとストックケースユニットとを左右には同一前面位置に並べて配置し、上下には陳列ケースユニットの最前部の商品を取出し可能に上方のケースユニットをずらして重ねて配置することで、希望のスペースに合わせてユニット式陳列・ストックケースを設置することができ、陳列ケースユニットの最前部の商品を上の段と干渉せずに簡単に取り出すことができ、しかもストックケースユニットに商品をストックできるとともに、その前面の表示部を利用して商品の内容や広告などを行うことができるようになる。
【００１１】
また、この発明の請求項２記載のユニット式陳列・ストックケースは、請求項１記載の構成に加え、前記陳列ケースユニットと前記ストックケースユニットとを前面部の高さおよび／または幅を変え、一方のケースユニットの整数個に対して他方のケースユニットを整数個組み合せて全体の外形が矩形となる大きさで構成したことを特徴とするものである。
【００１２】
このユニット式陳列・ストックケースによれば、前記陳列ケースユニットと前記ストックケースユニットとを前面部の高さおよび／または幅を変え、一方のケースユニットの整数個に対して他方のケースユニットを整数個組み合せて全体の外形が矩形となる大きさで構成するようにしており、これら陳列ケースユニットとストックケースユニットとを左右や上下に配置する場合に、矩形のスペースに合わせてユニット式陳列・ストックケースを容易に設置することができるようになる。
【００１３】
さらに、この発明の請求項３記載のユニット式陳列・ストックケースは、請求項１または２記載の構成に加え、前記陳列ケースユニットの引き出しケースには、商品列を仕切る仕切り板を設けるとともに、収納された商品を最前部に押出し可能な押し出し機構を設けたことを特徴とするものである。
【００１４】
このユニット式陳列・ストックケースによれば、前記陳列ケースユニットの引き出しケースには、商品列を仕切る仕切り板を設けるとともに、収納された商品を最前部に押出し可能な押し出し機構を設けるようにしており、引出しケースを引き出すことなく常に最前部に商品を位置させることができ、一層容易に取出しができるようになる。
【００１５】
また、この発明の請求項４記載のユニット式陳列・ストックケースは、請求項１〜３のいずれかに記載の構成に加え、前記ストックケースユニットのケース蓋体を、前記ストックケース箱体の天板部内側に収納可能に設けたことを特徴とするものである。
【００１６】
このユニット式陳列・ストックケースによれば、前記ストックケースユニットのケース蓋体を、前記ストックケース箱体の天板部内側に収納可能に設けるようにしており、ケース蓋体がストックケースユニットからの商品の取出しや商品の収納の邪魔にならず、スムーズに取出しや収納を行うことができるようになる。
【発明の効果】
【００１７】
この発明の請求項１記載のユニット式陳列・ストックケースによれば、陳列ケースユニットとストックケースユニットとを組み合せて構成し、陳列ケースユニットの引き出しケースに商品を１列ないし複数列並べて収納するとともに、引き出しケース箱体に最前部の商品を取出し可能とし、ストックケースユニットのストックケース箱体に商品を１ないし複数個ストック可能とするとともに、前面開口部に商品などの表示部を備えるようにしたので、これら陳列ケースユニットとストックケースユニットとを左右には同一前面位置に並べて配置し、上下には陳列ケースユニットの最前部の商品を取出し可能に上方のケースユニットをずらして重ねて配置することで、希望のスペースに合わせてユニット式陳列・ストックケースを設置することができ、陳列ケースユニットの最前部の商品を上の段と干渉せずに簡単に取り出すことができ、しかもストックケースユニットに商品をストックできるとともに、その前面の表示部を利用して商品の内容や広告などを行うことができる。
【００１８】
また、この発明の請求項２記載のユニット式陳列・ストックケースによれば、前記陳列ケースユニットと前記ストックケースユニットとを前面部の高さおよび／または幅を変え、一方のケースユニットの整数個に対して他方のケースユニットを整数個組み合せて全体の外形が矩形となる大きさで構成したので、これら陳列ケースユニットとストックケースユニットとを左右や上下に配置する場合に、矩形のスペースに合わせてユニット式陳列・ストックケースを設置することが一層容易となり、しかも商品の陳列個数や商品のストック量の選択の自由度を増大することができる。
【００１９】
さらに、この発明の請求項３記載のユニット式陳列・ストックケースによれば、前記陳列ケースユニットの引き出しケースには、商品列を仕切る仕切り板を設けるとともに、収納された商品を最前部に押出し可能な押し出し機構を設けるようにしたので、引出しケースを引き出すことなく常に最前部に商品を位置させることができ、一層容易に取出しを行うことができる。
【００２０】
また、この発明の請求項４記載のユニット式陳列・ストックケースによれば、前記ストックケースユニットのケース蓋体を、前記ストックケース箱体の天板部内側に収納可能に設けるようにしたので、ケース蓋体がストックケースユニットからの商品の取出しや商品の収納の邪魔にならず、スムーズに取出しや収納を行うことができる。
【発明を実施するための最良の形態】
【００２１】
以下、この発明の一実施の形態を図面に基づき詳細に説明する。  
図１〜図７はこの発明のユニット式陳列・ストックケースの一実施の形態にかかり、図１は全体の概略正面図、図２は図１中のII−II矢視概略側面図、図３は図１中のIII−III矢視概略側面図、図４および図５は陳列ケースユニットにかかり、図４は概略正面図および概略側面図、図５は部分概略斜視図、図６および図７はストックケースユニットにかかり、図６は概略正面図、概略平面図および概略側面図、図７は部分概略斜視図である。
【００２２】
このユニット式陳列・ストックケース１０は、図１〜図３に示すように、１ないし複数の陳列ケースユニット２０，２０Ａと、１ないし複数のストックケースユニット４０，４０Ａとを組み合せて構成され、例えば大きさの異なるそれぞれ２種類ずつの陳列ケースユニット(図示例では、小２０を９個、大２０Ａを２個)とストックケースユニット(図示例では、小４０を５個、大４０Ａを３個)とを左右および上下に配置して組み合せて構成してある。
【００２３】
このようなユニット式陳列・ストックケース１０を構成する陳列ケースユニット２０は、図４および図５に示すように、例えば箱に入れられたり、箱状に包装された商品、具体例としては、タバコやお菓子などを一列ないし複数列並べて収納し、陳列するとともに、最前部の商品をそのまま取り出すことができるようにするものである。
【００２４】
この陳列ケースユニット２０は、例えば図４および図５に示すように、３列のタバコを一列ずつ仕切って並べることができる引き出しケース２１を備えており、引き出しケース２１は、上方が開口する箱状の引き出しケース本体２２に、２枚の仕切り板２３が取り付けられて３列の収納部２４が形成されている。
【００２５】
この引き出しケース２１の各収納部２４の底板部分には、押し出し機構２５を構成する長手方向のガイド溝２６が形成され、このガイド溝２６の上縁両側に断面３角形のガイドレール２７が設けられており、これらガイド溝２６およびガイドレール２７に沿って押え板２８が摺動自在に装着され、ガイド溝２６の先端部に固定されたコイル状の帯バネ２９によって前方に付勢され、この押え板２８によってタバコを常に最前部に位置させることができるようにしてある。
【００２６】
そして、この押し出し機構２５では、最前部に押されたタバコなどの商品を取出しやすくするため、上昇ガイド３０がガイド溝２６の両側に設けられ、スロープによって押し出されたタバコなどを他の後方のタバコなどの商品よりもわずかに上昇させるようにしてある。
【００２７】
また、この引き出しケース２１にタバコなどの商品を収納する場合に、押え板２８の前方への移動を押さえて後端部に保持するため、ガイドレール２７の後端面がストッパ３１として機能するようにしてある。
【００２８】
さらに、この引き出しケース２１の前面には、タバコなどの商品の値段や商品番号などを表示したカードを入れるガード入れ３２が設けてある。
【００２９】
このような３列の収納部２４を備えた引き出しケース２１は、その外側を囲み前面が開口した引き出しケース箱体３３内に引き出し可能に収納される。
【００３０】
この引き出しケース箱体３３には、上下に積み重ねる場合の位置決め用の位置決め突片３４が底板から下方に突き出して前後２ヶ所設けられるとともに、天板部には、位置決め突片３４が嵌る位置決め凹部３５が形成され、上下に重ねる場合に、図２および図３に示すように、最前部のタバコなどの商品をスムーズに取り出せるように上のケースを後方にずらしてひな壇状に重ねられるようにしてある。
【００３１】
また、この引き出しケース箱体３３の天板部の前部を切り欠いてタバコなどの商品の取出しを容易にしたり、引出しケース箱体３３から引き出しケース２１をタバコなどの商品一個分だけ引き出した状態で陳列するようにする。
【００３２】
なお、このような引出しケース２１と引き出しケース箱体３３で構成される陳列ケースユニット２０は、図４および図５で説明した３列の商品を収納する引き出しケース２１を備えて構成するもののほか、図１および図３に示すように、引き出しケース箱体３３の高さ方向を２倍にして上下２段に引き出しケース２１を収納するようにすることもでき、これ以外の整数倍としても良い。
【００３３】
さらに、高さだけでなく、幅方向に２倍などの整数倍にすることもできる。  
また、商品によっては、仕切り板や押し出し機構を省略しても良い。
【００３４】
次に、ユニット式陳列・ストックケース１０を構成するストックケースユニット４０について、図１〜図３および図６〜図７により説明する。
【００３５】
このストックケースユニット４０は、タバコなどの商品を複数個包装された状態でストックしたり、一個ずつに包装を解いたものをストックするとともに、タバコなどの商品の内容やポスターなどを表示するためのものであり、前面が開口するストックケース箱体４１を備えている。
【００３６】
このストックケース箱体４１は、すでに説明した陳列ケースユニット２０の引き出しケース箱体３３と外形が同一の箱状に構成されるほか、高さ方向が２倍などの整数倍の大きさとされたり、幅方向にも２倍などの整数倍の大きさなどとされ、１ないし複数個のストックケース箱体４１と陳列ケースユニット２０の１ないし複数個の引き出しケース箱体３３を上下や左右に並べて配置することで全体を矩形等にできるような大きさにしてある。
【００３７】
したがって、それぞれのケース箱体４１、３３を２個と３個の組み合わせとすることもでき、大きさの異なる整数個のケース箱体４１、３３で全体を矩形などにできるような大きさにしても良い。
【００３８】
なお、ユニット式陳列・ストックケースとしては、必ずしも外形を矩形にする必要はなく、スペースなどに対応した外形にすれば良い。
【００３９】
このストックケース箱体４１にも、引き出しケース箱体３３と同様に、上下に積み重ねる場合の位置決め用の位置決め突片４２が底板から下方に突き出して前後２ヶ所設けられるとともに、天板部には、位置決め突片４２が嵌る位置決め凹部４３が形成され、上下に重ねる場合に、図２および図３に示すように、最前部のタバコなどの商品をスムーズに取り出せるように上のケースを後方にずらしてひな壇状に重ねられるようにしてある。
【００４０】
このようなストックケース箱体４１には、前面開口部に開閉可能なケース蓋体４４が設けられ、天板部内側に収納できるようになっている。すなわち、ストックケース箱体４１の両側板の内側上部に２本の水平な収納ガイド４５が取り付けられてケース蓋体４４を開いて水平にして滑らすことで収納できるようにしてある。
【００４１】
また、ケース蓋体４４には、ストックケース箱体４１の前面を閉じた状態にするための半円柱状の支持部材４６が取り付けてあり、下側の収納ガイド４５に係止されるとともに、両端突出部をストックケース箱体41に設けた押え部で押えて開閉可能に支持される。
【００４２】
さらに、このケース蓋体４４の前面には、タバコなどの商品の広告やポスターなどを表示する表示部４７が全面あるいは一部分に設けられ、カード状のものを取り付けたり、ポスターなどを直接貼ることができるようにしてある。
【００４３】
このような陳列ケースユニット２０とストックケースユニット４０とを左右および／または上下に配置して組み合せて構成されるユニット式陳列・ストックケース１０は、例えば図１に示すように、同一の大きさの小型の陳列ケースユニット２０を２段積み重ねその上に同一の大きさの小型のストックケースユニット４０を１段積み重ね、同様にして２段の小型の陳列ケースユニット２０を積み重ねその上に同一の大きさの小型のストックケースユニット４０を１段積み重ねて左側第１列が構成してある。
【００４４】
また、左側第２列は、高さ方向に２倍の大きさの大型の陳列ケースユニット２０Ａとこれと同一の大きさの大型のストックケースユニット４０Ａとを用い、２段の大型の陳列ケースユニット２０Ａの上に１段の大型のストックケースユニット４０Ａを積み重ねて構成してある。
【００４５】
さらに、左側第３列(右側第２列)は、左側第１列と同様の３個ずつの陳列ケースユニット２０とストックケースユニット４０とで構成され、陳列ケースユニット２０とストックケースユニット４０とを交互に積み重ねて構成してある。
【００４６】
また、左側第４列(右側第１列)は、大型の陳列ケースユニット２０Ａ１個の上に大型のストックケースユニット４０Ａを２段積み重ねて構成してある。
【００４７】
このようなユニット式陳列・ストックケース１０によれば、陳列ケースユニット２０、２０Ａの引き出しケース２１にタバコなどの商品をその収納部２４に１列ずつ収納するとともに、ストックすべきタバコなどの商品をストックケースユニット４０、４０Ａ内にストックする。
【００４８】
そして、引き出しケース２１のカード入れ３２にタバコの値段や商品番号を記載したカードなどを入れる一方、ストックケースユニット４０のケース蓋体４４の表示部４７に、タバコなどの商品のポスターなど消費者に告知・訴求すべき情報を表示する。
【００４９】
そして、タバコなどの商品を消費者が直接取り出したり、消費者に指定された商品を販売者が取出すようにするが、この場合にも、上方のケースユニットが雛檀状にずらして積み重ねてあるとともに、最前部の商品が上昇ガイド３０で押し上げられているので、簡単に取出すことができるとともに、次の商品が押し出し機構２５の帯バネ２９で付勢された押え板２８で押されて前進し、次ぎの取出しや連続した取出しも容易にできる。
【００５０】
また、このユニット式陳列・ストックケース１０によれば、使用する陳列ケースユニット２０やストックケースユニット４０の個数や大きさを選択することで、希望のスペースに合わせて設置することができ、商品の陳列と同時に、商品をストックすることもできる。
【００５１】
さらに、ストックケースユニット４０の前面を利用して広告などを表示することもでき、商品の陳列・ストックに加え、広告機能を備えることができる。
【００５２】
また、ストックケースユニット４０のケース蓋体４４を天板部の内側の収納ガイド４５に沿って収納可能としたので、商品のストックや取出しにケース蓋体４４が邪魔にならず、スムーズにストックしたり、取り出したりすることができる。
【００５３】
なお、上記実施の形態では、タバコなどの箱に入ったり、箱状に包装された商品を例に説明したが、これらに限らず、袋などに入った商品やビンや缶に入った商品に適用することも可能である。
【００５４】
また、押し出し機構で商品を最前部に押し出すようにする場合を例に説明したが、押し出し機構を省略するようにしても良い。
【００５５】
さらに、ストックケースユニットのケース蓋体は、天板部内側に収納する構造に限らず、左右のいずれかに開く扉形式としたり、シャッターなどで構成することもでき、前面にポスターなどを取り付けたり、商品の内容などを表示できるものであれば良い。
【００５６】
また、このユニット式陳列・ストックケースは、外形が矩形にされる場合に限らず、階段状や途中に凹部が形成される形状などどのような組合わせ形状であっても良い。
【図面の簡単な説明】
【００５７】
【図１】この発明のユニット式陳列・ストックケースの一実施の形態にかかる全体の概略正面図である。
【図２】この発明のユニット式陳列・ストックケースの一実施の形態にかかる図１中のII−II矢視概略側面図である。
【図３】この発明のユニット式陳列・ストックケースの一実施の形態にかかる図１中のIII−III矢視概略側面図である。
【図４】この発明のユニット式陳列・ストックケースの一実施の形態にかかる陳列ケースユニットの概略正面図および概略側面図である。
【図５】この発明のユニット式陳列・ストックケースの一実施の形態にかかる陳列ケースユニットの部分概略斜視図である。
【図６】この発明のユニット式陳列・ストックケースの一実施の形態にかかるストックケースユニットの概略正面図、概略平面図および概略側面図である。
【図７】この発明のユニット式陳列・ストックケースの一実施の形態にかかるストックケースユニットの部分概略斜視図である。
【図８】従来の商品ディスプレイ装置の概略斜視図である。
【図９】従来の煙草陳列ケースの概略斜視図である。
【符号の説明】
【００５８】
１０              ユニット式陳列・ストックケース
２０              陳列ケースユニット
２０Ａ            大型の陳列ケースユニット
２１              引き出しケース
２２              引き出しケース本体
２３              仕切り板
２４              収納部
２５              押し出し機構
２６              ガイド溝
２７              ガイドレール
２８              押え板
２９              帯バネ
３０              上昇ガイド
３１              ストッパ
３２              カード入れ
３３              引き出しケース箱体
３４              位置決め突片
３５              位置決め凹部
４０              ストックケースユニット
４０Ａ            大型のストックケースユニット
４１              ストックケース箱体
４２              位置決め突片
４３              位置決め凹部
４４              ケース蓋体
４５              収納ガイド
４６              支持部材
４７              表示部
【図１】
2005334326.tif 000003
【図２】
2005334326.tif 000004
【図３】
2005334326.tif 000005
【図４】
2005334326.tif 000006
【図５】
2005334326.tif 000007
【図６】
2005334326.tif 000008
【図７】
2005334326.tif 000009
【図８】
2005334326.tif 000010
【図９】
2005334326.tif 000011